(57)【要約】      （修正有）【課題】データ提供者とユーザの両方がデータトランザクションに満足できる合理的な評価スキームを提供する。【解決手段】データ管理装置は、第１ＩＤ情報と第１リクエストを受信し、第１ＩＤ情報を検証するように設定される検証モジュール１０と、第１ＩＤ情報が確認された場合、第１リクエストに応答してメモリに格納された少なくとも１つの第１データを検索するように設定され、少なくとも１つの第１データに第１評価ポイントが割り当てられる検索モジュール３０と、第１ＩＤ情報に関連付けられた第２評価ポイントを受信し、少なくとも１つの第１データから第１評価ポイントを取得して、確認された第１ＩＤ情報、第１評価ポイント、第２評価ポイントに基づき第３評価ポイントを生成し、第３評価ポイントをメモリに格納するように設定される評価モジュール４０とを含む。【選択図】図１
2014021981.tif 000002
【特許請求の範囲】
【請求項１】
メモリと通信する装置であって、検証モジュールと、検索モジュールと、評価モジュールとを含み、
前記検証モジュールが、第１ＩＤ情報と第１リクエストを受信し、前記第１ＩＤ情報を検証するように設定され、
前記検索モジュールが、前記第１ＩＤ情報が確認された場合、第１リクエストに応答して前記メモリに格納された少なくとも１つの第１データを検索するように設定され、前記少なくとも１つの第１データに第１評価ポイントが割り当てられ、
前記評価モジュールが、前記第１ＩＤ情報に関連付けられた第２評価ポイントを受信し、前記少なくとも１つの第１データから前記第１評価ポイントを取得して、確認された前記第１ＩＤ情報、前記第１評価ポイント、前記第２評価ポイントに基づき第３評価ポイントを生成し、前記第３評価ポイントを前記メモリに格納するように設定されたことを特徴とする、データ管理装置。
【請求項２】
前記第３評価ポイントが、前記第１評価ポイントと前記第２評価ポイントとの間の整合性に基づいて決定されることを特徴とする、請求項１に記載のデータ管理装置。
【請求項３】
前記少なくとも１つの第１データのアクセス回数が増加すると、前記第１評価ポイントが増加することを特徴とする、請求項１に記載のデータ管理装置。
【請求項４】
前記第１評価ポイントが、前記少なくとも１つの第１データの品質によって決定されることを特徴とする、請求項１に記載のデータ管理装置。
【請求項５】
前記評価モジュールがさらに、第１コードと第２コードを生成するように設定され、前記第１コードと前記第２コードの両方が前記第１ＩＤ情報に関連付けられ、そのうち、前記第１コードは発表されたドキュメントの存在を表し、前記第２コードは前記少なくとも１つの第１データが前記発表されたドキュメントで引用されているか否かを表すことを特徴とする、請求項１に記載のデータ管理装置。
【請求項６】
前記第１コードがさらに、前記発表されたドキュメントの分類を表すことを特徴とする、請求項５に記載のデータ管理装置。
【請求項７】
前記評価モジュールが、前記第１コードと前記第２コードに基づいて第４評価ポイントを生成するように設定されたことを特徴とする、請求項５に記載のデータ管理装置。
【請求項８】
前記評価モジュールが、確認された前記第１ＩＤ情報、前記第１評価ポイント、前記第２評価ポイント、前記第４評価ポイントに基づいて第５評価ポイントを生成し、前記第５評価ポイントを前記メモリに格納するように設定されたことを特徴とする、請求項７に記載のデータ管理装置。
【請求項９】
前記メモリ内の前記第３評価ポイントまたは前記第５評価ポイントを取得して、前記第１ＩＤ情報の分類を決定するように設定された判定モジュールを含むことを特徴とする、請求項１または８に記載のデータ管理装置。
【請求項１０】
前記検証モジュールがさらに前記第１リクエストを検証することを特徴とする、請求項１に記載のデータ管理装置。
【請求項１１】
メモリと通信する装置であって、検証モジュールと、検索モジュールと、評価モジュールを含み、
前記検証モジュールが、第１ＩＤ情報と第１リクエストを受信し、前記第１ＩＤ情報を検証するように設定され、
前記検索モジュールが、前記第１ＩＤ情報が確認された場合、第１リクエストに応答して前記メモリに格納された少なくとも１つの第１データを検索するように設定され、
前記評価モジュールが第１コードと第２コードを生成するように設定され、前記第１コードと前記第２コードの両方が前記第１ＩＤ情報に関連付けられ、そのうち、前記第１コードは発表されたドキュメントの存在を表し、前記第２コードは前記少なくとも１つの第１データが前記発表されたドキュメントで引用されているか否かを表し、前記評価モジュールがさらに前記第１コードと前記第２コードに基づいて第１評価ポイントを生成し、前記第１評価ポイントを前記メモリに格納するように設定されたことを特徴とする、データ管理装置。
【請求項１２】
前記第１コードがさらに、前記発表されたドキュメントの分類を表すことを特徴とする、請求項１１に記載のデータ管理装置。
【請求項１３】
前記少なくとも１つの第１データに第２評価ポイントが割り当てられ、前記評価モジュールが前記第１ＩＤ情報に関連付けられた第３評価ポイントを受信して、前記少なくとも１つの第１データから前記第２評価ポイントを取得し、そのうち、前記評価モジュールが、確認された前記第１ＩＤ情報、前記第２評価ポイント、前記第３評価ポイントに基づいて第４評価ポイントを生成し、前記第４評価ポイントを前記メモリに格納することを特徴とする、請求項１１に記載のデータ管理装置。
【請求項１４】
前記評価モジュールが、前記第１評価ポイントと前記第４評価ポイントに基づいて第５評価ポイントを生成し、前記第５評価ポイントを前記メモリに格納することを特徴とする、請求項１１に記載のデータ管理装置。
【請求項１５】
前記メモリ内の前記第１評価ポイント、前記第４評価ポイント、または前記第５評価ポイントを取得して、前記第１ＩＤ情報の分類を決定するように設定された判定モジュールを含むことを特徴とする、請求項１１、１３または１４に記載のデータ管理装置。
【請求項１６】
前記第４評価ポイントが、前記第２評価ポイントと前記第３評価ポイントとの間の整合性に基づいて決定されることを特徴とする、請求項１３に記載のデータ管理装置。
【請求項１７】
前記少なくとも１つの第１データのアクセス回数が増加すると、前記第２評価ポイントが増加することを特徴とする、請求項１３に記載のデータ管理装置。
【請求項１８】
前記第２評価ポイントが、前記少なくとも１つの第１データの品質によって決定されることを特徴とする、請求項１３に記載のデータ管理装置。
【請求項１９】
前記少なくとも１つの第１データから個人情報を除外するように設定されたフィルタモジュールを含むことを特徴とする、請求項１１に記載のデータ管理装置。
【請求項２０】
前記検証モジュールがさらに前記第１リクエストを検証することを特徴とする、請求項１１に記載のデータ管理装置。
【請求項２１】
メモリと通信する装置であって、検証モジュールと、検索モジュールと、評価モジュールと、判定モジュールを含み、
前記検証モジュールは第１ＩＤ情報と第１リクエストを受信し、前記第１ＩＤ情報と前記第１リクエストを検証するように設定され、
前記検索モジュールは、前記第１ＩＤ情報と前記第１リクエストが確認された場合、前記第１リクエストに応答して前記メモリに格納された少なくとも１つの第１データを検索するように設定され、前記少なくとも１つの第１データに第１評価ポイントが割り当てられ、
前記評価モジュールは、前記第１ＩＤ情報に関連付けられた第２評価ポイントを受信し、前記少なくとも１つの第１データから前記第１評価ポイントを取得して、確認された前記第１ＩＤ情報、前記第１評価ポイント及び前記第２評価ポイントに基づき第３評価ポイントを生成し、前記第３評価ポイントを前記メモリに格納するように設定され、前記評価モジュールはさらに、第１コードと第２コードを生成するように設定され、前記第１コードと前記第２コードの両方が前記第１ＩＤ情報と関連付けられ、そのうち、前記第１コードは発表されたドキュメントの存在を表し、前記第２コードは前記少なくとも１つの第１データが前記発表されたドキュメントで引用されているか否かを表し、前記評価モジュールはさらに前記第１コードと前記第２コードに基づき第４評価ポイントを生成し、前記第４評価ポイントを前記メモリに格納するように設定され、前記評価モジュールはさらに前記第３評価ポイントと前記第４評価ポイントに基づき第５評価ポイントを生成し、前記第５評価ポイントを前記メモリに格納するように設定され、
前記判定モジュールは、前記メモリ内の前記第３評価ポイント、前記第４評価ポイント、または前記第５評価ポイントを取得して前記第１ＩＤ情報の分類を決定するように設定されたことを特徴とする、データ管理装置。
【請求項２２】
前記第３評価ポイントが、前記第１評価ポイントと前記第２評価ポイントとの間の整合性に基づいて決定されることを特徴とする、請求項２１に記載のデータ管理装置。
【請求項２３】
前記少なくとも１つの第１データのアクセス回数が増加すると、前記第１評価ポイントが増加することを特徴とする、請求項２１に記載のデータ管理装置。
【請求項２４】
前記第１評価ポイントが、前記少なくとも１つの第１データの品質によって決定されることを特徴とする、請求項２１に記載のデータ管理装置。
【請求項２５】
前記第１コードがさらに前記発表されたドキュメントの分類を表すことを特徴とする、請求項２１に記載のデータ管理装置。
【発明の詳細な説明】
【技術分野】
【０００１】
本発明はデータ管理に関し、特に、データ管理装置に関する。
【背景技術】
【０００２】
多くの情報やデータが現在インターネットの恩恵を受けて高速で転送可能となっている。関心のあるデータにお金を払ったり、所望のデータの対価として金銭以外のものを提供したりしてもよいと考えるユーザが増えている。一方、データ提供者は、アクセス可能なサーバ又はデータベースに対して多くのデータのアップロードはデータの提供をするように奨励されている。しかし、提供されたデータの価値を判断するためには多様な要因が関わってくる。したがって、データ提供者とユーザの両方がデータトランザクションに満足できる合理的な評価スキームが所望されている。さらに、データトランザクションを促進するためのデータ管理装置および方法も所望されている。
【発明の概要】
【発明が解決しようとする課題】
【０００３】
本発明の目的は、データ管理装置を提供することにある。
【課題を解決するための手段】
【０００４】
本発明の実施例は、メモリと通信を行うデータ管理装置であって、検証モジュールと、検索モジュールと、評価モジュールを含む。検証モジュールは、第１ＩＤ情報と第１リクエストを受信し、第１ＩＤ情報を検証するように設定される。検索モジュールは、第１ＩＤ情報が確認された場合、第１リクエストに応答してメモリに格納された少なくとも１つの第１データを検索するように設定され、少なくとも１つの第１データに第１評価ポイントが割り当てられる。評価モジュールは、第１ＩＤ情報に関連付けられた第２評価ポイントを受信し、少なくとも１つの第１データから第１評価ポイントを取得して、確認された第１ＩＤ情報、第１評価ポイントおよび第２評価ポイントに基づき第３評価ポイントを生成し、第３評価ポイントをメモリに格納するように設定されている。
【０００５】
本発明の他の実施例は、メモリと通信を行うデータ管理装置であって、検証モジュールと、検索モジュールと、評価モジュールを含む。検証モジュールは、第１ＩＤ情報と第１リクエストを受信し、第１ＩＤ情報を検証するように設定される。検索モジュールは、第１ＩＤ情報が確認された場合、第１リクエストに応答してメモリに格納された少なくとも１つの第１データを検索するように設定される。評価モジュールは、第１コードと第２コードを生成するように設定され、第１コードと第２コードの両方が第１ＩＤ情報と関連付けられ、そのうち、第１コードは発表されたドキュメントの存在を表し、第２コードは少なくとも１つの第１データが発表されたドキュメントで引用されているか否かを表し、評価モジュールはさらに第１コードと第２コードに基づき第１評価ポイントを生成し、第１評価ポイントをメモリに格納するように設定されている。
【０００６】
本発明の他の実施例は、メモリと通信を行うデータ管理装置であって、検証モジュールと、検索モジュールと、評価モジュールと、判定モジュールを含む。検証モジュールは、第１ＩＤ情報と第１リクエストを受信し、第１ＩＤ情報と第１リクエストを検証するように設定される。検索モジュールは、第１ＩＤ情報と第１リクエストが確認された場合、第１リクエストに応答してメモリに格納された少なくとも１つの第１データを検索するように設定され、少なくとも１つの第１データに第１評価ポイントが割り当てられる。評価モジュールは、第１ＩＤ情報に関連付けられた第２評価ポイントを受信し、少なくとも１つの第１データから第１評価ポイントを取得して、確認された第１ＩＤ情報、第１評価ポイントおよび第２評価ポイントに基づき第３評価ポイントを生成し、第３評価ポイントをメモリに格納するように設定される。評価モジュールは、さらに、第１コードと第２コードを生成するように設定される。この第１コードと第２コードは、両方が第１ＩＤ情報と関連付けられ、そのうち、第１コードは発表されたドキュメントの存在を表し、第２コードは前記少なくとも１つの第１データが発表されたドキュメントで引用されているか否かを表す。評価モジュールは、さらに第１コードと第２コードに基づき第４評価ポイントを生成し、第４評価ポイントをメモリに格納するように設定される。評価モジュールは、さらに第３評価ポイントと第４評価ポイントに基づき第５評価ポイントを生成し、第５評価ポイントをメモリに格納するように設定される。判定モジュールは、メモリ内の第３評価ポイント、第４評価ポイント、または第５評価ポイントを取得して第１ＩＤ情報の分類を決定するように設定される。
【０００７】
本発明の付加的な特徴および利点を以下に説明され、一部は明細書の記載から明白であり、又、本発明の実施例から明らかになるであろう。本発明の特徴及び利点は、添付された請求項に具体的に記載されている要素及び組合せによって実現及び達成されるであろう。
【０００８】
上述の一般的な説明と、以下に述べる詳細な説明は具体例であって、例示だけを目的としており、特許請求されている本発明の範囲の限定を意図するものではない。
【０００９】
上述の概要と、本発明の以下の詳細な説明は、添付図と併せて読めば一層よく理解されよう。本発明を説明するために現在の好適と思われるいくつかの形態が図示されている。しかし、本発明が図示されたとおりの構成および方策に限定されるものではないことを理解されたい。
【図面の簡単な説明】
【００１０】
【図１】本発明の一実施例における演算装置１のブロック図である。
【図２】本発明の別の一実施例における演算装置１のブロック図である。
【図３Ａ】本発明の一実施例における対象検体の検索プロセスを示す概略図である。
【図３Ｂ】本発明の一実施例における対象検体の検索プロセスを示す概略図である。
【発明を実施するための形態】
【００１１】
以下で、添付の図面に示した本発明の例示的な実施形態を詳細に参照する。図面の全体にわたって同じまたは同様の部品を示すために可能な限り同じ参照番号を使用している。
【００１２】
図１は、本発明の一実施例における演算装置１のブロック図である。図１に示すように、演算装置１はデータベース２と組み合わせることができる。本発明の一実施例において、演算装置１は、サーバ、プロセッサ、デスクトップコンピュータ、ノートブックコンピュータ、タブレットコンピュータ、集積処理回路などを含むことができるが、これらに限定されない。本発明の一実施例において、データベース２は、病院情報システム（ＨＩＳ）モジュール２１、ライブラリ情報システム（ＬＩＳ）モジュール２２、検体モジュール２３を含むことができるが、これらに限定されない。ＨＩＳモジュール２１は、少なくとも患者の年齢や身長、体重などのプロフィールを含む患者の医療記録を含むことができる。さらに、ＬＩＳモジュール２２は、Ｘ線画像、コンピュータ断層撮影（ＣＴ）画像、超音波画像、磁気共鳴画像（ＭＲＩ）、内視鏡画像、皮膚画像、顕微鏡画像などの患者の検査結果を少なくとも含む。さらに、検体モジュール２３は患者の身体から収集され、検体保存器３に保存されている物理的検体／試料に関連付けられたデータを少なくとも含むことができる。ユーザ４は演算装置１を介してデータベース２にアクセスすることができる。さらに、ユーザ４は検体モジュール２３の関連付けられたデータに基づき検体保存器３から所望の検体を取得することもできる。
【００１３】
より具体的に、演算装置１は、検証モジュール１０、判定モジュール２０、検索モジュール３０、評価モジュール４０を含むことができるが、これらに限定されない。ユーザ４は、演算装置１にユーザＩＤ（ＵＩＤ）とリクエスト（ＲＥＱ）を提供することができる。本発明の一実施例において、ＵＩＤはアカウント名とパスワードのセットを含むことができるが、それらに限定されない。検証モジュール１０はＵＩＤを検証するように設定することができる。ＵＩＤが確認されると、ユーザ４は演算装置１を介してデータベース２にアクセスすることができる。
本発明の別の一実施例において、ＵＩＤに加え、検証モジュール１０はさらに、たとえば治験審査委員会（ＩＲＢ）によってあらかじめ定められた、データベース２のメモリ２４に格納されている一連の規則に従ってＲＥＱを検証することができる。データベース２は、ＵＩＤとＲＥＱの両方が検証モジュール１０によって確認されたときのみユーザ４がアクセスすることができる。
【００１４】
本発明の一実施例において、ＲＥＱは対象データに関連するキーワードを少なくとも含むことができる。たとえば、ユーザ４は研究のため肺がんに関連するデータを取得したい場合、ＲＥＱは「肺がん」というキーワードを含むことができる。ＵＩＤ、またはＵＩＤとＲＥＱが確認されると、ＲＥＱを検索モジュール３０に送信することができる。検索モジュール３０は、ＲＥＱに応答してデータベース２で対象データを検索することができる。検索モジュール３０の操作の詳細については図２を参照しながら以下の実施例で説明する。
【００１５】
図２は、本発明の別の一実施例に基づく演算装置１のブロック図である。図２に示すように、検索モジュール３０は検索ユニット３１、フィルタユニット３２、照合ユニット３３を含むことができるが、これらに限定されない。検索ユニット３１は、少なくともＲＥＱに応答してデータベース２で対象データを検索するように設定することができる。本発明の一実施例において、検索結果は、たとえば患者の名前、ＩＤ番号、パスポート番号、学歴、連絡先情報、電話番号、人種、肌の色、親族関係、外見など、開示すべきでない患者の個人情報を含むことがある。このため、少なくとも検索結果から個人情報を除外してからフィルタ後の検索結果をユーザ４にするように設定されたフィルタユニット３２に検索結果を転送することができる。 
【００１６】
さらに、ユーザ４は検索結果でヒットした場合にその患者から収集された物理的検体／試料（組織検体や細胞検体など）を取得したい場合もある。対象検体は照合ユニット３３のアシストにより取得することができる。照合ユニット３３については図３Ａと図３Ｂを参照しながら以下の実施例で説明する。
【００１７】
図３Ａと図３Ｂは、本発明の一実施例に基づいた対象検体の検索プロセスを示す概略図である。図３Ａに示すように、検体モジュール２３に格納された各データにはインデックス番号などの固有識別子を割り当てることができる。図３Ａに示すように、検体モジュール２３の各データには、「１０ｂ」、「１ｂ」、「８ｂ」、「３ｂ」、「６ｂ」、「５ｂ」、「９ｂ」、「２ｂ」、「４ｂ」というインデックス番号を割り当てることができる。 
【００１８】
ＨＩＳモジュール２１に格納された各医療記録にも、検体モジュール２３に格納された各対応データに割り当てられた固有識別子に関連する識別子を割り当てることができる。この実施例において、ＨＩＳモジュール２１に格納された各医療記録には、「１０ａ」、「１ａ」、「８ａ」、「３ａ」、「６ａ」、「１１ａ」、「５ａ」、「９ａ」、「１２ａ」、「２ａ」、「７ａ」、「４ａ」というインデックス番号が割り当てられ、そのうち「１０ａ」、「１ａ」、「３ａ」、「６ａ」、「１１ａ」、「１２ａ」というインデックス番号が割り当てられた医療記録は肺がんに関連するものとすることができる。照合ユニット３３は、割り当てられた識別子またはインデックス番号に基づいてＨＩＳモジュール２１に格納された医療記録を検体モジュール２３に格納された対応するデータと照合することができる。本実施例において、インデックス番号「１０ｂ」、「１ｂ」、「３ｂ」、「６ｂ」のそれぞれが、各インデックス番号「１０ａ」、「１ａ」、「３ａ」、「６ａ」に関連することができる。したがって、照合ユニット３３は一致する結果（一致する識別子など）を見つけ、一致する結果から４つの固有識別子「１０ｂ」、「１ｂ」、「３ｂ」、「６ｂ」を取得して、取得した固有識別子「１０ｂ」、「１ｂ」、「３ｂ」、「６ｂ」を検体保存器３に送信することができる。識別子は各医療記録とデータにランダムに割り当てられ、ユーザ４が個人情報を追跡できないようにすることができる。
【００１９】
図３Ｂに示すように、検体保存器３に格納された各検体にも、検体モジュール２３に格納された各対応するデータに割り当てられた固有識別子に関連する識別子を割り当てることができる。検体保存器３の管理システムは、照合ユニット３３から固有識別子「１０ｂ」、「１ｂ」、「３ｂ」、「６ｂ」を受信することができる。検体保存器３の管理システムは、さらに受信した固有識別子を使用して、固有識別子「１０ｂ」、「１ｂ」、「３ｂ」、「６ｂ」に対応する検体を識別することができ、これらの検体には「ａ」、「ｂ」、「ｃ」、「ｄ」の識別子が割り当てられている。その後、検体保存器３の管理システムは物理的な検体「ａ」、「ｂ」、「ｃ」、「ｄ」をユーザ４に提供することができる。対象データ（及び存在する場合検体）が演算装置１によって検索され、ユーザ４がそれらを取得した後、以下の実施例で説明するように評価プロセスを実行することができる。
【００２０】
データベース２の各データには評価ポイント「Ｃ１」を割り当てることができる。本発明の一実施例において、評価ポイント「Ｃ１」は医療記録がアクセスされたまたはダウンロードされた回数によって付与することができる。たとえば、演算装置１に含まれる医療レビューモジュール（図示しない）が、７回アクセスまたはダウンロードされた医療記録に比較的高い評価ポイント「５」を付与し、３回アクセスまたはダウンロードされた別の医療記録には比較的低い評価ポイント「２」を付与することができる。本発明の別の一実施例において、評価ポイント「Ｃ１」は各データの品質を反映することができる。たとえば、医療記録の評価を担当する人員は、比較的質の高い医療記録には比較的高い評価ポイント「５」を付与し、比較的質の低い別の医療記録には比較的低い評価ポイント「１」を付与することができる。
【００２１】
評価モジュール４０は、（ＲＥＱに応答して）見つかったデータにユーザ４により付与された評価ポイント「Ｃ２」を受信することができる。本発明の一実施例において、ユーザ４は見つかった医療記録が役に立つため、その医療記録に比較的高い評価ポイント「５」を付与することができる。別の実施例において、ユーザ４は、見つかった医療記録があまり役に立たないとわかれば、その医療記録に比較的低い評価ポイント「１」を付与することができる。
【００２２】
評価モジュール４０は「ＵＩＤ」、評価ポイント「Ｃ１」および「Ｃ２」に基づいて評価ポイント「Ｃ３」を生成することができる。本発明の一実施例において、評価ポイント「Ｃ３」は、評価ポイント「Ｃ１」と「Ｃ２」間の整合性によって決定することができる。したがって、「Ｃ１」と「Ｃ２」の両方が比較的高い（または低い）場合、「Ｃ１」は「Ｃ２」と整合性があるため、評価モジュール４０は比較的高い評価ポイント「Ｃ３」を生成することができる。一方、「Ｃ１」 が比較的高く（または低く）、「Ｃ２」が比較的低い（または高い）場合、「Ｃ１」は「Ｃ２」と整合性がないため、評価モジュール４０は比較的低い評価ポイント「Ｃ３」を生成することができる。
【００２３】
ユーザ４は、演算装置１から受信した医療記録を自身の学位論文、論文、特許などの研究に使用することができる。本発明の一実施例において、図１に示すように、評価モジュール４０は、ユーザ４の研究の発表が通知された場合、「ＵＩＤ」に関連付けられた「ＰＵＢ」というコードを生成することができる。そのユーザ４によって使用された医療記録がユーザの発表した研究で引用された場合、評価モジュール４０はその「ＵＩＤ」に関連付けられた「ＣＩＴ」というコードを生成することができる。ユーザ４が医療記録にアクセスしたもののそれがそのユーザの発表された研究に引用されていない場合、評価モジュール４０はその「ＵＩＤ」に関連付けられた「ＮＣＩＴ」というコードを生成することができる。評価モジュール４０は、さらに、ユーザ４の「ＵＩＤ」、「ＰＵＢ」および「ＣＩＴ／ＮＣＩＴ」コードに基づいて評価ポイント「Ｃ４」を生成することができる。本発明の一実施例において、評価ポイント「Ｃ４」は、評価ポイント「Ｃ４」の生成に「ＣＩＴ」コードが使用された場合比較的高く、評価ポイント「Ｃ４」の生成に「ＮＣＩＴ」コードが使用された場合比較的低くすることができる。
【００２４】
本発明の一実施例において、「ＰＵＢ」コードはユーザ４の発表された研究に関する情報を含むこともでき、たとえば、ユーザの研究が「Ｎａｔｕｒｅ」誌で発表された場合、「ＰＵＢ」コードは関連の説明を含んでもよい。本発明の別の一実施例において、「ＰＵＢ」コードは発表されたドキュメントの分類を含むこともでき、たとえば、発表されたドキュメントが一流学術誌で発表された場合より高い評価を獲得するようにしてもよい。したがって、評価モジュール４０は、「ＰＵＢ」コードに基づいて評価ポイント「Ｃ４」を決定することができる。
【００２５】
本発明の一実施例において、評価モジュール４０は次の式により評価ポイント「Ｃ５」を生成することができる。
【００２６】
(数１)
Ｃ５＝αＣ３＋（１−α）Ｃ４          式（１）
【００２７】
そのうち、因数αは評価ポイント「Ｃ５」を決定するために調整可能な重みであり、因数αは０〜１の範囲とすることができる。本発明の一実施例において、因数αは０．５とすることができ、評価ポイント「Ｃ３」と「Ｃ４」は同じ重みを有し、このような関係によって評価ポイント「Ｃ５」がユーザ４によって使用された、見つかったデータのフィードバックおよび評価ポイント「Ｃ１」と「Ｃ２」間の整合性を反映できることを説明することができる。本発明の別の一実施例において、因数αは０とすることができ、評価ポイント「Ｃ５」は「Ｃ４」に等しく、このような関係によって、評価ポイント「Ｃ５」がユーザ４によって使用された、見つかったデータのフィードバックを反映できることを説明することができる。さらに別の実施例において、因数αは１とすることができ、評価ポイント「Ｃ５」は「Ｃ３」に等しく、このような関係によって、評価ポイント「Ｃ５」が評価ポイント「Ｃ１」と「Ｃ２」間の整合性を反映できることを説明することができる。
【００２８】
図１に示すように、評価ポイント「Ｃ５」はメモリ２４に格納することができる。ユーザ４が再度「ＵＩＤ」を使用してデータベース２にアクセスすると、その「ＵＩＤ」に関連付けられた評価ポイント「Ｃ５」を判定モジュール２０がメモリ２４から取得することができる。取得した評価ポイント「Ｃ５」に基づき、判定モジュール２０はＵＩＤの分類を決定するように設定することができる。その後、ＵＩＤの分類によってユーザ４がアクセスできるデータを決定してもよい。
【００２９】
当業者であれば、上述の実施例には、その広い発明概念から逸脱することなく変形が可能であることが理解できるであろう。よって、本発明は、開示されている特定の実施例に限定されるものではなく、添付特許請求の範囲に記載されている本発明の精神と範囲内の変形例もカバーするものである。
【００３０】
さらに、本発明の代表的な実施例の説明において、明細書ではその方法及び（または）プロセスを特定の順序の手順として提示していることがあるが、当該方法またはプロセスがここで説明される手順の特定の順序に依存しない限りにおいて、当該方法またはプロセスは記述された特定の順序の手順に限定されない。当業者であれば理解できるように、他の順序の手順も可能であり得る。したがって、明細書に記載された特定の順序の手順は、請求項を限定するものとしてみなされてはならない。さらに、本発明の方法及び（または）プロセスに関する請求項は、記載された順序での手順の実行に限定されてはならず、当業者であれば順序を変更しても本発明の精神と範囲内に留まることが可能であると容易に理解することができる。
【符号の説明】
【００３１】
１        演算装置
１０      検証モジュール
２０      判定モジュール
３０      検索モジュール
４０      評価モジュール
２        データベース
２１      病院情報システム（ＨＩＳ）モジュール
２２      ライブラリ情報システム（ＬＩＳ）モジュール
２３      検体モジュール
２４      メモリ 
３        検体保存器
４        ユーザ
３１      検索ユニット
３２      フィルタユニット
３３      照合ユニット
４０      評価モジュール
【図１】
2014021981.tif 000003
【図２】
2014021981.tif 000004
【図３Ａ】
2014021981.tif 000005
【図３Ｂ】
2014021981.tif 000006
【外国語明細書】
TITLE
DEVICE FOR DATA MANAGEMENT 
Field of application
【０００１】
The present disclosure relates generally to data management.  More particularly, the present disclosure relates to a device for data management.
Prior Art
【０００２】
Myriads of information/data now are able to be transferred at a high speed thanks to the Internet.  More and more users are willing to pay for the data of interest or offer something other than money in exchange of the desired data.  On the other hand, data providers are also encouraged to upload or provide more data to an accessible server or database.  However, various factors could be involved in determining the value of the provided data.  Accordingly, it is desired to have a reasonable evaluation scheme so that both data providers and users may be satisfied with the data transaction.  Moreover, it is also desired to have data management device and method to facilitate data transaction.
BRIEF SUMMARY OF THE INVENTION
【０００３】
Example embodiments of the present disclosure may provide a device for data management, the device which is in communication with a memory includes: a verification module configured to receive a first identity information and a first request and verify the first identity information; a search module configured to search for at least one first data stored in the memory in response to the first request if the first identity information is verified, the at least one first data being assigned a first rating point; and an evaluation module configured to receive a second rating point associated with the first identification information, retrieve the first rating point from the at least one first data and generate a third rating point in accordance with the verified first identity information, the first rating point and the second rating point and store the third rating point in the memory.
【０００４】
Some example embodiments of the present disclosure may also provide a device for data management, the device which is in communication with a memory includes: a verification module configured to receive a first identity information and a first request and verify the first identity information; a search module configured to search for at least one first data stored in the memory in response to the first request if the first identity information is verified; and an evaluation module configured to generate a first code and a second code, both the first and second codes are associated with the first identification information, wherein the first code represents a published document does exist and the second code represents whether the at least one first data is cited in the published document and the evaluation module is configured to further generate a first rating point in accordance with the first and second codes and store the first rating point in the memory.
【０００５】
Some example embodiments of the present disclosure may provide a device for data management, the device which is in communication with a memory includes: a verification module configured to receive a first identity information and a first request and verify the first identity information and the first request; a search module configured to search for at least one first data stored in the memory in response to the first request if the first identity information and the first request are verified, the at least one first data is assigned a first rating point; an evaluation module configured to receive a second rating point associated with the first identification information, retrieve the first rating point from the at least one first data and generate a third rating point in accordance with the verified first identity information, the first rating point and the second rating point  and store the third rating point in the memory, the evaluation module is configured to further generate a first code and a second code, both the first and second codes are associated with the first identification information, wherein the first code represents a published document does exist and the second code represents whether the at least one first data is cited in the published document, the evaluation module is configured to generate a fourth rating point in accordance with the first and second codes and store the fourth rating point in the memory and the evaluation module is configured to generate a fifth rating point in accordance with the third rating point and the fourth rating point and store the fifth rating point in the memory; and a determination module configured to retrieve the third, fourth or fifth rating point in the memory to determine the classification of the first identity information.
【０００６】
Additional features and advantages of the present invention will be set forth in part in the description which follows, and in part will be obvious from the description, or may be learned by practice of the invention.  The features and advantages of the invention will be realized and attained by means of the elements and combinations particularly pointed out in the appended claims.
【０００７】
It is to be understood that both the foregoing general description and the following detailed description are exemplary and explanatory only and are not restrictive of the invention, as claimed.
BRIEF DESCRIPTION OF THE SEVERAL VIEWS OF THE DRAWINGS
【０００８】
The foregoing summary, as well as the following detailed description of the invention, will be better understood when read in conjunction with the appended drawings.  For the purpose of illustrating the invention, there are shown in the drawings examples which are presently preferred.  It should be understood, however, that the invention is not limited to the precise arrangements and instrumentalities shown.
【０００９】In the drawings:
【００１０】  FIG. 1 is a block diagram of a computing device 1 in accordance with an example embodiment of the present disclosure;
【００１１】
FIG. 2 is a block diagram of a computing device 1 in accordance with another example embodiment of the present disclosure; and
【００１２】
FIGS. 3A and 3B illustrate a search process for the specimens of interest in accordance with an example embodiment of the present disclosure.
DETAILED DESCRIPTION OF THE INVENTION
【００１３】
Reference will now be made in detail to the present examples of the invention, examples of which are illustrated in the accompanying drawings.  Wherever possible, the same reference numbers will be used throughout the drawings to refer to the same or like parts.
【００１４】
FIG. 1 is a block diagram of a computing device 1 in accordance with an example embodiment of the present disclosure.  Referring to FIG. 1, the computing device 1 may be coupled to a database 2.  In one example embodiment, the computing device 1 may include but is not limited to a server, a processor, a desktop, a laptop, a tablet computer, an integrated processing circuit or the like.   In one example embodiment, the database 2 may include but is not limited to a hospital information system (HIS) module 21, a library information system (LIS) module 22 and a specimen module 23.  The HIS module 21 may at least contain patients’ medical records, which include  patients’ profile such as age, height, weight or the like.  Furthermore, the LIS module 22 may at least contain patients’ test results such as X-ray images, computer tomography (CT) images, ultrasonic images, magnetic resonant images (MRI) endoscope images, skin images, microscopic images or the like.  Moreover, the specimen module 23 may at least contain data associated with physical specimens/samples collected from patients’ bodies and stored in a specimen bank 3.  A user 4 may access the database 2 through the computing device 1.  Furthermore, the user 4 may also obtain the desired specimen(s) from the specimen bank 3 in accordance with the associated data in the specimen module 23.
【００１５】
More particularly, the computing device 1 may include but is not limited to a verification module 10, a determination module 20, a search module 30 and an evaluation module 40.  The user 4 may provide the computing device 1 with a user identification (UID) and a request (REQ).  In one example embodiment, the UID may include but is not limited to a set of account name and password.  The verification module 10 may be configured to verify the UID.   If the UID is verified, the user 4 may access the database 2 through the computing device 1.   
【００１６】
In another example embodiment, in addition to the UID, the verification module 10 may further verify the REQ in accordance with a set of rules predetermined by for example an institutional review board (IRB) and stored in a memory 24 of the database 2.  The database 2 can only be accessed by the user 4 when UID and REQ are both verified by the verification module 10. 
【００１７】
In one example embodiment, the REQ which may at least contain keyword(s) related to the data of interest.  For example, the user 4 may want to obtain lung cancer-related data for research and the REQ may contain the keywords of “lung cancer.”  Once the UID or the UID and REQ are verified, the REQ may then be sent to the search module 30.  The search module 30 may search for the data of interest in the database 2 in response to the REQ.  Details of the operation of the search module 30 will be discussed in the example embodiment below with reference to FIG. 2.
【００１８】
FIG. 2 is a block diagram of a computing device 1 in accordance with another example embodiment of the present disclosure.  Referring to FIG. 2, the search module 30 may include but is not limited to a search unit 31, a filter unit 32 and a match unit 33.   The search unit 31 may at least be configured to search for the data of interest in the database 2 in response to the REQ.  In one example embodiment, the search results may contain patients’ personal information that cannot be revealed, for example, a patient’s name, identification number, passport number, education background, contact information, phone number, race, color of skin, kinship, appearances or the like.  Therefore, the search results may then be transmitted to the filter unit 32, which may at least be configured to remove the personal information from the search results and send the filtered search results to the user 4.  
【００１９】
Furthermore, the user 4 may also want to obtain physical specimens/samples (such as tissue specimens or cell specimens) collected from the patients in the hit list of the search results, if any.  The specimens of interest may be obtained with the help of the match unit 33, which will be discussed in the following example embodiment with reference to FIGS. 3A and 3B. 
【００２０】
FIGS. 3A and 3B illustrate a search process for the specimens of interest in accordance with an example embodiment of the present disclosure.  Referring to FIG. 3A, each the data stored in the specimen module 23 may be assigned a unique identifier, such as an index number.  As shown in FIG. 3A, each data in the specimen module 23 may be assigned an index number as follows “10b,” “1b,” “8b,” “3b,” “6b,”  “5b,” “9b,” “2b” and “4b.” 
【００２１】
Each the medical record stored in the HIS module 21 may also be assigned an identifier relative to the unique identifier assigned to each corresponding data stored in the specimen module 23.  In this example embodiment, each the medical record stored in the HIS module 21may be assigned an index number as follows “10a,” “1a,” “8a,” “3a,” “6a,” “11a,” “5a,” “9a,” “12a,” “2a,” “7a” and “4a,” wherein the medical records with index numbers of “10a,” “1a,” “3a,” “6a,” “11a” and “12a” may be related to lung cancer.  The match unit 33 may match a medical record stored in the HIS module 21 with the corresponding data stored in the specimen module 23 in accordance with the assigned identifiers or index numbers.  In this example embodiment, each the index number “10b,” “1b,” “3b” and “6b” may be relative to each index number “10a,” “1a,” “3a” and “6a.”  Accordingly, the match unit 33 may find the match result, e.g. matched identifiers, and retrieve the four unique identifiers “10b,” “1b,” “3b” and “6b” from the match result and send the retrieved unique identifiers “10b,” “1b,” “3b” and “6b” to the specimen bank 3.  An identifier may be randomly assigned to each medical record and data such that the user 4 cannot trace the personal information.
【００２２】
Referring to FIG. 3B, each the specimen stored in the specimen bank 3 may also be assigned an identifier relative to the unique identifier assigned to each corresponding data stored in the specimen module 23.  The management system of the specimen bank 3 may receive the unique identifiers “10b,” “1b,” “3b” and “6b” from the match unit 33.  The management system of the specimen bank 3 may further use the received unique identifiers to identify specimens with assigned identifiers “a,” “b,” “c” and “d,” which correspond to the unique identifiers “10b,” “1b,” “3b” and “6b”.  The management system of the specimen bank 3 may then deliver the physical specimens “a,” “b,” “c” and “d” to the user 4.  After the data (and specimens, if any) of interest are searched by the computing device 1 and then obtained by the user 4, evaluation process may be performed as will be discussed in the following example embodiment.
【００２３】
Each the data in the database 2 may be assigned a rating point “C1.”  In one example embodiment, the  rating point “C1” may be given by the times the medical records being accessed or downloaded.  For example, a medical review module (not shown) resided in the computing device 1 may give a relatively high rating point “5” to a medical record which is accessed or downloaded seven times, and give a relatively low rating point “2” to another medical record which is accessed or downloaded three times.  In another example embodiment, the rating point “C1” may reflect the quality of each the data.  For example, personnel in charge of medical records review may give a relatively high rating point “5” to a medical record having relatively good quality and give a relatively low rating point “1” to another medical record having relatively bad quality.  
【００２４】
The evaluation module 40 may receive a rating point “C2” given to the located data (in response to the REQ) by the user 4.  In one example embodiment, the user 4 may appreciate the located medical record and give the medical record a relatively high rating point “5.” In another example, the user 4 may find the located medical record not quite useful and give the medical record a relatively low rating point “1.” 
【００２５】
The evaluation module 40 may generate a rating point “C3” in accordance with the “UID,” the rating points “C1” and “C2.”  In one example embodiment, the rating point “C3” may be determined by the compliance between the rating points “C1” and “C2.”  Accordingly, if both “C1” and “C2” are relatively high (or low), which means “C1” is in compliance with “C2,” the evaluation module 40 may generate a relatively high rating point “C3.”  On the other hand, if both “C1” is relatively high (or low) and “C2” is relatively low (or high), which means “C1” is not in compliance with “C2,” the evaluation module 40 may generate a relatively low rating point “C3.”
【００２６】
The user 4 may use the received medical record(s) from the computing device 1 in his/her research such as thesis/theses, paper(s), patent(s) or the like.  In one example embodiment, still referring to FIG. 1, the evaluation module 40 may generate a code “PUB” associated with the “UID” if being notified of the publication of the user 4’s research.  If any medical record(s) ever being used by the user 4 is/are cited in his/her published research, the evaluation module 40 may generate a code “CIT” associated with the “UID.”  If the user 4 does access the medical record(s) but none of them is found in his/her published research, the evaluation module 40 may generate a code “NCIT” associated with the “UID.”  The evaluation module 40 may further generate a rating point “C4” in accordance with the user 4’s “UID,” the codes “PUB” and “CIT/NCIT.”  In one example embodiment, the rating point “C4” may be relatively high if the code “CIT” is used to generate the rating point “C4,” and the rating point “C4” may be relatively low if the code “NCIT” is used to generate the rating point “C4.” 
【００２７】
In one example embodiment, the code “PUB” may also contain information in relation to user 4’s published research, for example, if the user’s research is published in “Nature,” the code “PUB” may include the concerning description.  In another example embodiment, the code “PUB” may contain the classification of published documents, for example, the more prestigious the published document is, the higher raking it may get.  Accordingly, the evaluation module 40 may determine the rating point “C4” in accordance with the code “PUB.”
【００２８】
In one example embodiment, the evaluation module 40 may generate a rating point “C5” by the following equation:
【００２９】
Ｃ５＝αＣ３＋（１−α）Ｃ４           e.q. (1)
【００３０】
where the factor α is a weight that may be adjust to determine the rating point “C5.”  The factor α  may range from zero to one.  In one example embodiment, the factor α may be 0.5 and the rating points “C3” and “C4” thus have same weight, such relation may explain that the rating point “C5” may reflect the feedback of the located data used by the user 4 and the compliance between the rating points “C1” and “C2.”  In another example embodiment, the factor α may be zero and the rating point “C5” is equivalent to “C4,” such relation may explain that the rating point “C5” may reflect the feedback of the located data used by the user 4.  In still another example embodiment, the factor α may be one and the rating point “C5” is equivalent to “C3,” such relation may explain that the rating point “C5” may reflect the compliance between the rating points “C1” and “C2.”
【００３１】
Referring back to FIG. 1, the rating point “C5” may be stored in the memory 24.  As the user 4 again uses the “UID” to access the database 2, the rating point “C5” associated with the “UID” may be retrieved from the memory 24 by the determination module 20.   Based on the retrieved the rating point “C5,” the determination module 20 may be configured to determine the classification of the UID.  The data to be accessed by the user 4 may then be determined by the classification of the UID. 
【００３２】
It will be appreciated by those skilled in the art that changes could be made to the examples described above without departing from the broad inventive concept thereof.  It is understood, therefore, that this invention is not limited to the particular examples disclosed, but it is intended to cover modifications within the spirit and scope of the present invention as defined by the appended claims.
【００３３】
Further, in describing representative examples of the present invention, the specification may have presented the method and/or process of the present invention as a particular sequence of steps.  However, to the extent that the method or process does not rely on the particular order of steps set forth herein, the method or process should not be limited to the particular sequence of steps described.  As one of ordinary skill in the art would appreciate, other sequences of steps may be possible.  Therefore, the particular order of the steps set forth in the specification should not be construed as limitations on the claims.  In addition, the claims directed to the method and/or process of the present invention should not be limited to the performance of their steps in the order written, and one skilled in the art can readily appreciate that the sequences may be varied and still remain within the spirit and scope of the present invention. 
CLAIMS
We claim:
１.  A device for data management, the device being in communication with a memory and comprising:
a verification module configured to receive a first identity information and a first request and verify the first identity information;
a search module configured to search for at least one first data stored in the memory in response to the first request if the first identity information is verified, the at least one first data being assigned a first rating point ; and
an evaluation module configured to receive a second rating point  associated with the first identification information, retrieve the first rating point from the at least one first data and generate a third rating point in accordance with the verified first identity information, the first rating point and the second rating point and store the third rating point in the memory.
２.  The device of claim 1, wherein the third rating point is determined in accordance with compliance between the first rating point and the second rating point.
３.  The device of claim 1, wherein the first rating point increases as the access times of the at least one first data increases.
４.  The device of claim 1, wherein the first rating point is determined by the quality of the at least one first data.
５.  The device of claim 1, wherein the evaluation module is configured to further generate a first code and a second code, both the first and second codes are associated with the first identification information, wherein the first code represents a published document does exist and the second code represents whether the at least one first data is cited in the published document.
６.  The device of claim 5, wherein the first code further represents the classification of the published document. 
７.  The device of claim 5, wherein the evaluation module is configured to generate a fourth rating point in accordance with the first and second codes.
８.  The device of claim 7, wherein the evaluation module is configured to generate a fifth rating point in accordance with the verified first identity information, the first rating point, the second rating point and the fourth rating point and store the fifth rating point in the memory. 
９.  The device of claim 1or 8 further comprising a determination module configured to retrieve the third or fifth rating point in the memory to determine the classification of the first identity information.
１０.  The device of claim 1, wherein the verification module further verifies the first request.
１１.  A device for data management, the device being in communication with a memory and comprising:
a verification module configured to receive a first identity information and a first request and verify the first identity information;
a search module configured to search for at least one first data stored in the memory in response to the first request if the first identity information is verified; and
an evaluation module configured to generate a first code and a second code, both the first and second codes are associated with the first identification information, wherein the first code represents a published document does exist and the second code represents whether the at least one first data is cited in the published document and the evaluation module being configure to further generate a first rating point in accordance with the first and second codes and store the first rating point in the memory. 
１２.  The device of claim 11, wherein the first code further represents the classification of the published document.
１３.  The device of claim 11, wherein the at least one first data is assigned a second rating point and the evaluation module receives a third rating point associated with the first identification information and retrieve the second rating point from the at least one first data, wherein the evaluation module generates a fourth rating point in accordance with the verified first identity information, the second rating point and the third rating point and store the fourth rating point in the memory.
１４.  The device of claim 11, wherein the evaluation module generates a fifth rating point in accordance with the first rating point and the fourth rating point and store the fifth rating point  in the memory.
１５.  The device of claim 11, 13 or 14 further comprising a determination module configured to retrieve the first, fourth or fifth rating point in the memory to determine the classification of the first identity information.
１６.  The device of claim 13, wherein the fourth rating point is determined in accordance with compliance between the second rating point and the third rating point.
１７.  The device of claim 13, wherein the second rating point increases as the access times of the at least one first data increases.
１８.  The device of claim 13, wherein the second rating point is determined by the quality of the at least one first data.
１９.  The device of claim 11 further comprising a filter module configured to remove personal information from the at least one first data.
２０.  The device of claim 11, wherein the verification module further verifies the first request.
２１.  A device for data management, the device being in communication with a memory and comprising:
a verification module configured to receive a first identity information and a first request and verify the first identity information and the first request;
a search module configured to search for at least one first data stored in the memory in response to the first request if the first identity information and the first request are verified, the at least one first data being assigned a first rating point; 
an evaluation module configured to receive a second rating point associated with the first identification information, retrieve the first rating point from the at least one first data and generate a third rating point in accordance with the verified first identity information, the first rating point and the second rating point and store the third rating point in the memory, the evaluation module being configured to further generate a first code and a second code, both the first and second codes are associated with the first identification information, wherein the first code represents a published document does exist and the second code represents whether the at least one first data is cited in the published document, the evaluation module being configured to generate a fourth rating point in accordance with the first and second codes and store the fourth rating point in the memory and the evaluation module being configured to generate a fifth rating point in accordance with the third rating point and the fourth rating point and store the fifth rating point in the memory; and
a determination module configured to retrieve the third, fourth or fifth rating point in the memory to determine the classification of the first identity information.
２２.  The device of claim 21, wherein the third rating point is determined in accordance with compliance between the first rating point and the second rating point.
２３.  The device of claim 21, wherein the first rating point increases as the access times of the at least one first data increases.
２４.  The device of claim 21, wherein the first rating point is determined by the quality of the at least one first data.
２５.  The device of claim 21, wherein the first code further represents the classification of the published document.
ABSTRACT OF THE DISCLOSURE
A device for data management, the device is in communication with a memory and includes: a verification module configured to receive a first identity information and a first request and verify the first identity information; a search module configured to search for at least one first data stored in the memory in response to the first request if the first identity information is verified, the at least one first data being assigned a first rating point; and an evaluation module configured to receive a second rating point associated with the first identification information, retrieve the first rating point from the at least one first data and generate a third rating point in accordance with the verified first identity information, the first rating point and the second rating point and store the third rating point in the memory.  
2014021981.tif 000007
2014021981.tif 000008
2014021981.tif 000009
2014021981.tif 000010